(57)【要約】【課題】  開封が容易で、開封時に紙粉の発生が生じない、そして感光記録材料の出し入れが容易で、簡単に分解できて廃棄も容易であり、自動組立も容易に行うことのできる感光記録材料用包装箱を提供すること。【解決手段】  上記課題を解決するために、本発明の包装箱１は、本体部５と蓋体部７とが一体に形成され、再封機能を備えており、蓋体部７は本体部５の背板１５を上方に延長することによって形成され、蓋体部７の自由端側の端面は、本体部５における前板９の上方において筋押し線１７を介して接続されている開放フラップ１９に対して、高さ方向のみに配したミシン線２９によって接続されている。【選択図】  図１
2006058328.tif 000002
【特許請求の範囲】
【請求項１】
本体部と蓋体部とが一体に形成された再封機能を備えた感光記録材料用の包装箱において、
前記蓋体部は、本体部の背板を上方に延長することによって形成されており、尚且つ蓋体部の自由端側の端面は、本体部における前板の上方において、筋押し線を介して接続されている開放フラップに対して、高さ方向のみに配したミシン線によって接続されていることを特徴とする感光記録材料用包装箱。
【請求項２】
請求項１において、前記蓋体部は、組立前の展開状態において、折り曲げ線を介して背板に直接接続されている内装蓋と、ミシン線を介して開放フラップに接続されている外装蓋とを、組立段階において貼り合わせることによって構成されており、外装蓋と貼り合わされていない内装蓋の自由端側の端部は差込み片となっていて、組立状態において開放フラップの内面側に沿うように配置したことを特徴とする感光記録材料用包装箱。
【請求項３】
請求項１または２において、前記蓋体部の自由端側の中央には、高さ方向のみに配した中央ミシン線によって開放フラップに対して接続されている舌片状のノックアウト部が設けられており、尚且つ当該ノックアウト部は、開放フラップをえぐって、その一部に進入するように設けられていることを特徴とする感光記録材料用包装箱。
【請求項４】
請求項１〜３のいずれか１項において、前記蓋体部の自由端側の端面形状は、組立状態において中央が最も低く、側方に行くに従って徐々に高くなるようにテーパ状に形成されており、尚且つ蓋体部の自由端側の側辺は高さ方向のみに配した側部ミシン線によって開放フラップに対して接続されていることを特徴とする感光記録材料用包装箱。
【請求項５】
請求項１〜４のいずれか１項において、前記包装箱の材料は段ボールであり、前記蓋体部と開放フラップとの間に設けられるミシン線は、段ボールのコルゲートに沿う方向に配置され、尚且つ前記筋押し線は段ボールのコルゲートと略直交するように配置されていることを特徴とする感光記録材料用包装箱。
【請求項６】
請求項１〜５のいずれか１項において、前記蓋体部と開放フラップの境界部には、幅方向においては完全に分断された切込み線が設けられ、高さ方向においては両者を部分的に接続するミシン線が設けられており、尚且つ上記切込み線の少なくとも一部分には、蓋体部と開放フラップとを連結する連結ラベルが貼設されていることを特徴とする感光記録材料用包装箱。
【請求項７】
請求項６において、前記連結ラベルの接着面には糊がストライプ塗工されており、前記切込み線上には糊が塗工されていない糊なし部が設けられ、当該糊なし部がミシン線と共に蓋体部と開放フラップとの開封を容易にする開封テープとして機能するようにしたことを特徴とする感光記録材料用包装箱。
【請求項８】
請求項７において、前記連結ラベルは、所定の一方向に裂け易い材料によって形成されており、前記糊がストライプ塗工される方向は、連結ラベルの裂け易い方向に一致するようにしたことを特徴とする感光記録材料用包装箱。
【請求項９】
請求項６〜８のいずれか１項において、前記連結ラベルは、被包装材料である感光記録材料の内容等を記載した内容表示ラベルであることを特徴とする感光記録材料用包装箱。
【請求項１０】
請求項１〜９のいずれか１項において、前記本体部における側板には、高さ方向に延びる分解用ミシン線が形成されており、当該分解用ミシン線の上部は前板側に向けて傾斜していて、前板と連通する切取り導入部となっていることを特徴とする感光記録材料用包装箱。
【発明の詳細な説明】
【技術分野】
【０００１】
本発明は、Ｘレイフィルム等の感光記録材料の包装に適した包装箱に関する。尚、Ｘレイフィルム等には、Ｘレイフィルムの他、工業用リスフィルム等のシート状の各種の感光記録材料が含まれる。またこれらのＸレイフィルム等は遮光性及び防湿性を備えた内装袋に収容された状態で本発明の包装箱に収納される。
【背景技術】
【０００２】
Ｘレイフィルム等の感光記録材料用の包装箱には、開封が容易なこと、開封時に紙粉の発生が少ないこと、感光記録材料及びこれを収容した内装袋の取出しが容易なこと、十分な遮光性を有すること、そして分解が容易で廃棄性に優れることが求められる。また繰り返し出し入れされる感光記録材料用の包装箱にあっては、これに加えて再封機能を有することが求められる。
【０００３】
下記の特許文献１、２はジッパ（リッパー部）の採用により、包装箱の開封を容易にし、更に特許文献１にあっては、舌片の採用によって包装箱に再封機能を持たせた構成が開示されている。
ジッパは開封し易い反面、破断時に段ボールの紙粉が多く発生してしまうという欠点を有している。特に明室装填品の場合には、包装箱から内装袋を取り出す際に内装袋が帯電することがあり、このときに紙粉が発生すると紙粉を吸着してしまうことになる。そして紙粉を吸着した内装袋を、プリンタ、露光機ないしイメージャ（以下プリンタ等という）にセットすると、プリンタ等に設けられる給送トレー内に紙粉もいっしょに持ち込まれることとなる。
これにより、プリンタ等に内装袋をセットした後、明室装填作業を行う場合には、内装袋を給送トレー内から引き抜く際、当該紙粉が給送トレー内に残留し、紙粉が感光記録材料に付着してしまうため、「ホワイトスポット」と呼ばれる白抜け不良が発生する。
【０００４】
また特許文献１に示すようなボックスカートン型の包装箱は、包装箱を机等の上に置いた状態で包装箱を開くことができないので、被包装物である感光記録材料の枚数が多い場合等、重量が嵩む場合には、重量の重い包装箱を手で持った状態で感光記録材料の出し入れを行わなければならず、作業性を悪くしている。
また特許文献１、２において開示されている包装箱は、特に廃棄性については言及されておらず、箱状に組み立てられている包装箱を分解し、平坦にして廃棄を容易にする等の工夫は何ら開示されていない。
【０００５】
【特許文献１】実開昭５４−１０４３２５号公報
【特許文献２】特開平８−１１４８８９号公報
【発明の開示】
【発明が解決しようとする課題】
【０００６】
そこで従来の包装箱が有している上記の問題点を考慮して、本発明は、開封が容易で、開封時に紙粉の発生、紙粉の感光記録材料への付着が生じない、そして感光記録材料の出し入れが容易で、簡単に分解できて、廃棄も容易であり、更に自動組立も容易に行うことのできる感光記録材料用包装箱を提供することを課題とした。
【課題を解決するための手段】
【０００７】
本発明者は鋭意検討を重ねた結果、以下の構成を有する本発明の感光記録材料用包装箱によれば、上記の課題を解決し得ることを見い出した。
本発明の感光記録材料用包装箱は、本体部と蓋体部とが一体に形成された再封機能を備えた感光記録材料用の包装箱において、前記蓋体部は、本体部の背板を上方に延長することによって形成されており、尚且つ蓋体部の自由端側の端面は、本体部における前板の上方において、筋押し線を介して接続されている開放フラップに対して、高さ方向のみに配したミシン線によって接続されていることを特徴とするものである（第１の態様）。
【０００８】
上記発明において、前記蓋体部は、組立前の展開状態において、折り曲げ線を介して背板に直接接続されている内装蓋と、ミシン線を介して開放フラップに接続されている外装蓋とを、組立段階において貼り合わせることによって構成されており、外装蓋と貼り合わされていない内装蓋の自由端側の端部は差込み片となっていて、組立状態において開放フラップの内面側に沿うように配置してもよい（第２の態様）。
また上記発明において、前記蓋体部の自由端側の中央には、高さ方向のみに配した中央ミシン線によって開放フラップに対して接続されている舌片状のノックアウト部が設けられており、尚且つ当該ノックアウト部は、開放フラップをえぐって、その一部に進入するように設けられていてもよい（第３の態様）。このとき、ノックアウト部の高さ方向には幅方向に延びる折り曲げ線が形成されていてもよい。
【０００９】
また上記発明において、前記蓋体部の自由端側の端面形状は、組立状態において中央が最も低く、側方に行くに従って徐々に高くなるようにテーパ状に形成されており、尚且つ蓋体部の自由端側の側辺は高さ方向のみに配した側部ミシン線によって開放フラップに対して接続されていてもよい（第４の態様）。
また上記発明において、前記包装箱の材料は段ボールであり、前記蓋体部と開放フラップとの間に設けられるミシン線は、段ボールのコルゲートに沿う方向に配置され、尚且つ前記筋押し線は段ボールのコルゲートと略直交するように配置されていてもよい（第５の態様）。
【００１０】
また上記発明において、前記蓋体部と開放フラップの境界部には、幅方向においては完全に分断された切込み線が設けられ、高さ方向においては両者を部分的に接続するミシン線が設けられており、尚且つ上記切込み線の少なくとも一部分には、蓋体部と開放フラップとを連結する連結ラベルが貼設されていてもよい（第６の態様）。
また上記発明において、前記連結ラベルの接着面には糊がストライプ塗工されており、前記切込み線上には糊が塗工されていない糊なし部が設けられ、当該糊なし部がミシン線と共に蓋体部と開放フラップとの開封を容易にする開封テープとして機能するようにしてもよい（第７の態様）。
【００１１】
また上記発明において、前記連結ラベルは、所定の一方向に裂け易い材料によって形成されており、前記糊がストライプ塗工される方向は、連結ラベルの裂け易い方向に一致するようにしてもよい（第８の態様）。
また上記発明において、前記連結ラベルは、被包装材料である感光記録材料の内容等を記載した内容表示ラベルであってもよい（第９の態様）。
また上記発明において、前記本体部における側板には、高さ方向に延びる分解用ミシン線が形成されており、当該分解用ミシン線の上部は前板側に向けて傾斜していて、前板と連通する切取り導入部となっていてもよい（第１０の態様）。
【発明の効果】
【００１２】
第１の態様によれば、高さ方向のみにミシン線を設けたから、蓋体部の開封が容易になる。また蓋体部の他に開放フラップを設けたから、開封時において蓋体部を背面側に、開放フラップを前面側に拡開することによって本体部上部の取出口が大きく開口し、感光記録材料の出し入れが容易になる。
第２の態様によれば、蓋体部を内装蓋と外装蓋の二層構造によって構成しているから、蓋体部の強度が向上する。また内装蓋と外装蓋は組立前の展開状態では、一枚のシートにレイアウトされているから、打ち抜き加工の際の歩留り及び加工効率が向上する。また内装蓋の一部は差込み片として機能するから、開封前の開放フラップの強度がアップし、蓋体部の再封が容易、確実となる。
【００１３】
第３の態様によれば、ノックアウト部を設けたことで、蓋体部と開放フラップの切り離しと蓋体部の拡開動作を、ワンタッチで同時に行うことができる。またノックアウト部を、開放フラップの一部に進入するように下方に延長形成して設けたことにより、ノックアウト部に指を掛けるだけで蓋体部と開放フラップの切り離しを容易に行うことができる。またノックアウト部には折り曲げ線が形成されているから、蓋体部と開放フラップの切り離しと同時にノックアウト部が指を掛け易い形に折り曲げられるため、蓋体部の開封及び感光記録材料の出し入れが容易になる。
第４の態様によれば、ノックアウト部に掛かった力が蓋体部の自由端側の両側辺に伝わり易くなり、当該両側辺に力が集中するため、側部ミシン線の破断及び蓋体部の開封が容易になる。
【００１４】
第５の態様によれば、ミシン線を段ボールのコルゲートに沿う方向に配置したことにより、蓋体部の開封時において紙粉はほとんど発生しないため、紙粉が感光記録材料に付着することによって発生する白抜け不良（ホワイトスポット）は生じない。また筋押し線を段ボールのコルゲートと略直交するように配置したことにより、開放フラップの拡開が円滑になり、感光記録材料の出し入れが容易になる。
第６の態様によれば、梱包状態での包装箱の強度が向上し、輸送中の衝撃でミシン線が破れて蓋体部が開封する事態が防止される。また連結ラベルは切込み線を跨ぐように設けられているから、連結ラベルの切込み線上の部分を切断するだけで、蓋体部の開封を行うことができる。
【００１５】
第７の態様によれば、連結ラベルを低コストで製造でき、単一素材であるためリサイクルも容易に行うことができる。また連結ラベルの切込み線上の糊なし部が開封テープとして機能するから、当該糊なし部を引っ張るだけで連結ラベルの切断を容易に行うことができる。
第８の態様によれば、幅方向では、開封テープとしての機能性が向上するため、連結ラベルの切断が容易になる。
【００１６】
第９の態様によれば、内容表示ラベルに連結ラベルとしての機能を持たせることが可能となるため、部材の有効利用を通じて、部品点数の削減を図ることができる。
第１０の態様によれば、開放フラップを大きく手前に拡開させて前板に前方への力を加えると、切取り導入部から分解用ミシン線に力が伝搬されて、本体部の両側板を前面側と背面側に切り離し、シート状に分解することができ、包装箱の廃棄を容易にする。
【発明を実施するための最良の形態】
【００１７】
以下において、本発明の感光記録材料用包装箱（以下、包装箱という）について、図面を参照しながら詳細に説明する。
図１は、本発明に係る感光記録材料用包装箱の閉封時における全体を示す斜視図、図２は、同上、正面図である。図３は、図２中、Ａ−Ａ線における断面図（ａ）と、Ｂ−Ｂ線における断面図（ｂ）である。図４は、ノックアウト部を押し込み、中央ミシン線を破断した状態を示す包装箱の蓋体部周辺の斜視図、図５は、ノックアウト部に指を掛け、蓋体部を上方に引き上げて側部ミシン線を破断した状態を示す包装箱の蓋体部周辺の斜視図である。また図６は蓋体部、開放フラップ及び上耳部を拡開した状態の包装箱の全体の構成を示す斜視図、図７は組立前の展開状態の包装箱を示す展開図である。
尚、本明細書において使用する「幅方向」とは、図１中、矢印Ｘで示す方向を意味し、「高さ方向」とは、図１中、矢印Ｚで示す方向を意味するものとする。
【００１８】
本発明の包装箱１は、内装袋３によって密封された図示しない感光記録材料を収容する本体部５と蓋体部７とが一体に形成された再封機能を備えた感光記録材料用の包装箱である。尚、内装袋３としては、遮光性と防湿性に優れる種々の材料、積層構造のものが採用できる。例えば、耐ピンホール性に優れ、折りグセが付き難い内装袋として、遮光機能を持つ白ポリ層または黒ポリ層と、防湿機能を持つ機能性フィルム及び接着層とから構成されるものが使用できる。また、アルミ箔を含む内装袋も使用できる。
【００１９】
また本発明の包装箱１の材料としては段ボールが使用でき、好ましい材料として、例えばＥフルート（段数が約９４／３００ｍｍ）やＦフルート（段数が約１２０／３００ｍｍ）のようなマイクロフルート段ボールや、板紙を挙げることができる。尚、段ボールのコルゲートの方向は図７の展開図において上下方向に沿う方向に一例として設定されている。
【００２０】
本体部５は、前板９、側板１１、背板１５及び底板１６とを備えた角筒状の部材であり、開口された上面が内装袋３によって包装された感光記録材料の取出口になっている。尚、このうち側板１１は、前板９の両側辺を延長形成して設けられる内側板１２を後方に折り曲げ、この内側板１２を内側にして、背板１５の両側辺を延長形成して設けられる外側板１３を前方に折り曲げ、この外側板１３を内側板１２の外側に被せるようにして重ね合わせ、両者を接着剤等によって貼り合せることによって構成されている。
【００２１】
前板９の上端辺は、下に凸となる円弧状の筋押し線１７と一致しており、筋押し線１７の上方には、内装袋３ないし内装袋３内に収容された感光記録材料の出し入れを容易にする開放フラップ１９が設けられている。開放フラップ１９は筋押し線１７によって前板９に直接接続されている前面フラップ２０と、前面フラップ２０の両側辺から延長形成されている側面フラップ２１とによって構成されている。
【００２２】
前面フラップ２０の上端辺は、後述する蓋体部７における外装蓋２３の自由端側の端辺形状と一致するようになっている。具体的には、前面フラップ２０の上端辺中央には、下方に向けて舌片状に大きくえぐられた中央凹部３１が設けられており、前面フラップ２０の上端辺側部寄りには、これより小さな指掛け凹部３３が左右に１つずつ設けられている。尚、指掛け凹部３３は、開放フラップ１９を前方に拡開する際、指を掛けて開き易くする役割を有している。
【００２３】
側面フラップ２１は、内側板１２と同様、外側板１３の内側に位置するが、内側板１２とは異なり外側板１３とは接着されておらず、開放フラップ１９の自由な開閉を可能にしている。尚、側面フラップ２１の下端部には前面側から斜め下方に向けて直線状に形成された傾斜部４５と、傾斜部４５の下端から側面フラップ２１の後端にかけて曲線状に形成された円弧部４７とが設けられている。因みに傾斜部４５は内側板１２の上端部に形成されている傾斜部４９と当接することによって開放フラップ１９の垂直姿勢を超える内側への回動を防止し、円弧部４７は開放フラップ１９を開閉する際、側面フラップ２１が背板１５の内壁面に接触するのを防止することで、開放フラップ１９の円滑な開閉を可能にする役割を有している。
【００２４】
蓋体部７は、図７に示すように組立前の展開状態において、折り曲げ線３５を介して背板１５に直接接続されている内装蓋２５と、ミシン線２９を介して開放フラップ１９に接続されている外装蓋２３とを、図１、２に示すように組立段階において貼り合わせることによって構成されている。内装蓋２５は、図７に示す組立前の展開状態では最も下方に位置し、中央の折り曲げ線３５の下方の部分が外装蓋２３との接着面３７、接着面３７以外の部分が組立状態において開放フラップ１９の内面側に位置する差込み片３９となっている。
【００２５】
尚、中央の折り曲げ線３５は、更にその中央に設けた切込み部４１によって左右に分断されており、図１に示すように組立時において折り曲げられた状態では、切込み部４１の部分に指掛け凸部４３が前方に突出するようになる。因みにこの指掛け凸部４３は蓋体部７を後方に拡開する際、指を掛けて開き易くする役割を有している。
【００２６】
外装蓋２３は、図７に示す組立前の展開状態では最も上方に位置し、基端側端辺中央には凹陥状にえぐられた逃げ部５１が形成されている。尚、逃げ部５１は、図１、図３（ｂ）等に示すように組立状態において指掛け凸部４３の下方に指を掛け易くするためのスペースを確保する役割を有している。
【００２７】
また外装蓋２３の自由端側の中央には、高さ方向のみに配した中央ミシン線２９Ａによって開放フラップ１９に対して接続されている舌片状のノックアウト部５３が設けられている。ノックアウト部５３は、前面フラップ２０をえぐるように形成されている上述の中央凹部３１に対して係合するよう、前面フラップ２０の一部に進入するように設けられている。またノックアウト部５３には高さ方向に２本、幅方向に延びる折り曲げ線３５が形成されている。
【００２８】
また外装蓋２３の自由端側の端面形状は、組立状態において中央のノックアウト部５３の付け根部分で最も低く、ノックアウト部５３の付け根から側方に行くに従って徐々に高くなるようにテーパ状に形成されており、その途中には、上述の指掛け凹部３３と係合する係合凸部５５が左右に１つずつ設けられている。更に外装蓋２３の左右の側辺は、高さ方向のみに配した側部ミシン線２９Ｂによって開放フラップ１９に対して接続されている。
【００２９】
この他、内側板１２には底板１６との間にできる隙間を塞ぐ下耳部５７が設けられており、外側板１３には、蓋体部７との間にできる隙間を塞ぐ上耳部５９が設けられている。また、外側板１３には、高さ方向に延びる分解用ミシン線６１が形成されており、図１に示すように組立状態では、分解用ミシン線６１の上部は前板９側に向けて上向きに傾斜していて、その端部が筋押し線１７の左右の端部付近に達している。そして、分解用ミシン線６１の当該傾斜した部分が切取り導入部６３になっている。また外側板１３と内側板１２は全面に亘って接着されているのではなく、上記分解用ミシン線６１より図１において前方側の部分のみが接着されている。これにより、開放フラップ１９を前方に大きく拡開することによって前板９に前方への力が加わり、切取り導入部６３から分解用ミシン線６１に力が伝わって包装箱１をシート状に分解することが可能となる。
【００３０】
また、図１、２に示すように閉封状態の包装箱１にあっては、連結ラベル６５が貼設されている。連結ラベル６５は、切込み線２７を跨ぐ位置に設けられ、蓋体部７と開放フラップ１９を連結し、輸送時等の衝撃によって蓋体部７が開封される事態を防止する役割を有している。尚、連結ラベル６５の接着面には糊がストライプ塗工されており、切込み線２７上には糊が塗工されていない糊なし部６７が図２に示すように設けられていて、当該糊なし部６７がミシン線２９と共に、蓋体部７と開放フラップ１９との開封を容易にする開封テープとして機能するようになっている。
【００３１】
また連結ラベル６５は所定の一方向に裂け易い材料によって形成されることが好ましく、その場合には、糊がストライプ塗工される方向を連結ラベル６５の裂け易い方向に一致させ、切込み線２７が形成されている幅方向に沿わせて貼設するようにする。また連結ラベル６５として被包装材料である感光記録材料の内容等を記載した内容表示ラベルを使用することが部材の有効利用を図る上で好ましい。
【００３２】
次にこのようにして構成される本発明に係る包装箱１を開封する場合の開封手順及びその場合の包装箱１の作動態様について説明する。最初に切込み線２７の上方に設けられている連結ラベル６５の糊なし部６７を開封テープとして使用し、幅方向に引っ張って左右の連結ラベル６５を上下に分断する。
【００３３】
次に図４中、矢印で示すように蓋体部７のノックアウト部５３を指で押し、図１に図示する中央ミシン線２９Ａを破断する。そしてノックアウト部５３に指を掛けて、図５中、中央の矢印で示すように蓋体部７を拡開する方向に力を掛ける。ノックアウト部５３に作用した力は、テーパ状に形成されている外装蓋２３における自由端側端辺を伝わり、外装蓋２３の両側辺に設けられている側部ミシン線２９Ｂに集中して作用するようになり、図５中、左右の矢印で示すように側部ミシン線２９Ｂを小さな力で破断でき、蓋体部７を拡開させる。尚、本形態では、包装箱１を段ボールによって形成し、ミシン線２９を段ボールのコルゲートに沿う方向に配置しているから、ミシン線２９を破断する際に段ボールの紙粉はほとんど発生しない。よって、感光記録材料への紙粉の付着は生じない。
【００３４】
そして図６中、矢印で示すように、蓋体部７を後方に、上耳部５９を側方に大きく拡開し、指掛け凹部３３を利用して開放フラップ１９を前方に引き出しながら、内装袋３（および感光記録材料）を取り出す。また使用しなかった感光記録材料を内装袋３内に再び収容して再封する場合には、内装蓋２５先端の差込み片３９を開放フラップ１９の内面側に重なり合うように位置させ、切込み線２７や破断したミシン線２９を装着テープ等を使用して接合することによって閉封する。
【００３５】
本発明に係る感光記録材料用包装箱１は基本的に以上述べたように構成される訳であるが、更に次に述べるような部分的構成の改変も可能である。例えば、分解用ミシン線６１は内側板１２側に設けることも可能であるし、内側板１２と外側板１３の双方に設けることも可能である。また、ノックアウト部５３は舌片状に限らず、半円形状や矩形状等種々の形状が採用でき、外装蓋２３の自由端側の端面形状は曲線状であってもよい。また中央ミシン線２９Ａと側部ミシン線２９Ｂのピッチや長さも包装箱１の強度と開封し易さとの兼ね合いで種々変更可能である。
【産業上の利用可能性】
【００３６】
本発明の感光記録材料用包装箱は、様々な種類の感光記録材料を包装するための包装箱として広く利用することが可能である。特に、直接撮影医療用フィルムなどのＸレイフィルム用の包装箱として好ましく使用することができる。
【図面の簡単な説明】
【００３７】
【図１】本発明に係る感光記録材料用包装箱の閉封時における全体の構成を示す斜視図である。
【図２】同上、正面図である。
【図３】図２中、Ａ−Ａ線における断面図（ａ）と、Ｂ−Ｂ線における断面図（ｂ）である。
【図４】ノックアウト部を押し込み、中央ミシン線を破断した状態を示す包装箱の蓋体部周辺の斜視図である。
【図５】ノックアウト部に指を掛け、蓋体部を上方に引き上げて側部ミシン線を破断した状態を示す包装箱の蓋体部周辺の斜視図である。
【図６】蓋体部、開放フラップ及び上耳部を拡開した状態の包装箱の全体の構成を示す斜視図である。
【図７】組立前の展開状態の包装箱を示す展開図である。
【符号の説明】
【００３８】
１  （感光記録材料用）包装箱
３  内装袋
５  本体部
７  蓋体部
９  前板
１１  側板
１２  内側板
１３  外側板
１５  背板
１６  底板
１７  筋押し線
１９  開放フラップ
２０  前面フラップ
２１  側面フラップ
２３  外装蓋
２５  内装蓋
２７  切込み線
２９  ミシン線
２９Ａ  中央ミシン線
２９Ｂ  側部ミシン線
３１  中央凹部
３３  指掛け凹部
３５  折り曲げ線
３７  接着面
３９  差込み片
４１  切込み部
４３  指掛け凸部
４５  傾斜部（側面フラップの）
４７  円弧部
４９  傾斜部（内側板の）
５１  逃げ部
５３  ノックアウト部
５５  係合凸部
５７  下耳部
５９  上耳部
６１  分解用ミシン線
６３  切取り導入部
６５  連結ラベル
６７  糊なし部
【図１】
2006058328.tif 000003
【図２】
2006058328.tif 000004
【図３】
2006058328.tif 000005
【図４】
2006058328.tif 000006
【図５】
2006058328.tif 000007
【図６】
2006058328.tif 000008
【図７】
2006058328.tif 000009